(57)【特許請求の範囲】
【請求項１】
スライダーの胴体１の上面に引手取付部４を設け、取付部４に対し適宜形状の環状の連結体３を配し、連結体３は中央部分に横バー２２を設け、該横バー２２を取付部４に挿通して取り付け、連結体３の前後端または前端に弾性体から形成した引手２を固定し固定部２５を形成し、引手２を常時胴体１の面上へ倒伏する形に付勢してなることを特徴とするスライドファスナー用スライダーの引手。
【請求項２】
弾性体から形成された引手２は、全体が略半環状に形成し、その端部を連結体３の前端および後端に設けた横バー２２にそれぞれ水平状に固定して固定部２５を形成してなる請求項１記載のスライドファスナー用スライダーの引手。
【請求項３】
弾性体から形成された引手２は、全体が略環状に形成し、環状の引手２の対向部分に取付舌片２８を内向状に突設し、取付舌片２８を連結体３の前後端の横バー２２に水平状に固定して固定部２５を形成してなる請求項１記載のスライドファスナー用スライダーの引手。
【請求項４】
弾性体から形成された引手２は、全体が短冊形に形成し、短冊形の中央部分を切欠し透孔２９を設けて取付部４が現出する形に形成し、引手２の一端を連結体３の前端の横バー２２に固定して固定部２５を形成し、他端を自由に形成してなる請求項１記載のスライドファスナー用スライダーの引手。
【請求項５】
弾性体から形成された引手２は、全体が板状を呈し、引手２の端部は連結体３の前端に設けた横バー２２に固定して固定部２５を形成し、固定部２５の上端から取付部４の上面を被覆する形に延設してなる請求項１記載のスライドファスナー用スライダーの引手。
【請求項６】
弾性体から形成された引手２は、連結体３に固定した固定部２５の近傍にくびれたまたは凹状のくびれ部２６を形成してなる請求項１記載のスライドファスナー用スライダーの引手。
【請求項７】
弾性体から形成された引手２は、連結体３に固定した固定部２５の斜め前方へ空隙が拡大する掴持部２７を形成してなる請求項１記載のスライドファスナー用スライダーの引手。
【請求項８】
弾性体から形成された引手２は、連結体３を固定した固定部２５から離れた部分に拡径状または肉厚状の掴持部２７を形成してなる請求項１記載のスライドファスナー用スライダーの引手。
【請求項９】
弾性体から形成された引手２を固定する連結体３は、取付部４よりも長く長方形あるいは長円形の環状に形成し、該連結体３を取付部４に対し縦方向に配して取り付けてなる請求項１記載のスライドファスナー用スライダーの引手。
【請求項１０】
弾性体から形成された引手２を固定する連結体３は、胴体１の上面の縦方向に配される中央部分が低く、その前後端側が段差をもって高く水平状に延設し、横バー２２を形成してなる請求項１記載のスライドファスナー用スライダーの引手。
【請求項１１】
弾性体から形成された引手２を固定する固定部２５における連結体３に、内向または外向の扁平な取付片２３を横バー２２に突設し、該取付片２３を弾性体の引手２に埋装してなる請求項１記載のスライドファスナー用スライダーの引手。
【請求項１２】
弾性体の引手２を固定した連結体３は、中央部分に横設した横バー２２を胴体１の上面に取り付けたカバー体５内に内装した自動停止爪杆１０に挿通し、自動停止爪杆１０を浮上可能に形成してなる請求項１記載のスライドファスナー用スライダーの引手。
【請求項１３】
弾性体の引手２を固定した連結体３は、中央部分に２本の横バー２２を間隔をおいて横設し、１本は胴体１の上面に取り付けたカバー体５内に内装した自動停止爪杆１０に挿通し、他の１本はカバー体５内を摺動できる摺動体１４に挿通し、自動停止爪杆１０を浮上可能に形成してなる請求項１記載のスライドファスナー用スライダーの引手。
【請求項１４】
弾性体の引手２を固定した連結体３は、中央部分に１本の横バー２２を横設し、該横バー２２を胴体１上に取り付けたカバー体５の両側壁の下端に横設した摺動溝３２に遊嵌し、頂部にスプリング片３４を突設し、下端の一方に停止爪１１、他方に胴体１の凹欠部３３に遊嵌できる突出部３５を設け、停止爪１１と突出部３５との間にカム面３６を設けた自動停止爪杆１０をカバー体５に内装し、横バー２２をカム面３６に摺接し、自動停止爪杆１０を浮上可能に形成してなる請求項１記載のスライドファスナー用スライダーの引手。
【請求項１５】
弾性体から形成された引手２は、天然ゴム、合成ゴム、熱可塑性エラストマーから形成してなる請求項１記載のスライドファスナー用スライダーの引手。
【発明の詳細な説明】
【０００１】
【発明の属する技術分野】
この発明は、トレーニングウエア、ジャケットなど主に前あき衣服の前立に用いるスライドファスナー用スライダーの引手であって、引手は弾性体から形成され、スライダーの胴体上へ倒伏するように付勢し、衣服を着用中むやみに引手が揺動することなく安定した状態を保持できるスライドファスナー用スライダーの引手に関するものである。
【０００２】
【従来の技術】
従来、図１６に示すようにスライダーの引手をスライダー胴体の摺動方向と同一方向に枢支した連結体に固定した弾性部材から形成し、弾性部材は弾性部材自体と連結体とを停止位置において、スライダーと概ね同一面の前後方向に弾性的に移動し保持でき、連結体はスライダーに枢支した第１端部と弾性部材に固定されている第２端部とを有し、弾性部材は連結体の第２端部から離れた位置に配される自由端部を有し、弾性部材の自由端部と連結体の第２端部とは停止位置においてスライダーの相対向する端部に配し、しかも連結体の第１端部は連結体の第２端部と弾性部材の自由端部との間に配するスライドファスナー用スライダーが米国特許第５、１０１、５３８号明細書に開示されている。
【０００３】
また図１７に示すように、スライダーの胴体の上面における中央縦方向にピンを取り付け、このピンに２枚の板状の引手を左右に回動できるように軸支し、板状の引手はピンに挿通したコイル状スプリングによって、常時胴体上へ倒伏するように形成し、板状の引手の基部に停止爪を突設して、スライダーの停止時には停止爪がファスナーエレメント間に嵌入してスライダーを摺動させることができない。スライダーを摺動させるときは、左右の引手を起立させ停止爪をファスナーエレメント間から脱却させて摺動させるスライドファスナー用スライダーが米国特許第２２６３３９３号明細書に開示されている。
【０００４】
【発明が解決しようとする課題】
前項で述べた図１６に示したスライドファスナー用スライダーの引手は、スライダーを前後に摺動させスライドファスナーを閉鎖させるには、リング状の弾性部材の引手を前方へ引っ張らなければならず、その際自由端部と連結体に固定した第２端部との間で、弾性部材を約１８０度近い捻転を行って前方へ引っ張らなければならない。またスライドファスナーを分離開口させるためには、後方へ引っ張るとやはり自由端部と連結体に固定した第２端部との間で、約１８０度に近い捻転をさせて引っ張らないと後方へ摺動させることができない。したがってリング状の弾性部材は連結体に固定した第２端部に捻転による荷重が加わり損傷するおそれがあり長期の使用に耐えられないなど問題点がある。
【０００５】
図１７に示したスライドファスナー用スライダーの引手は、金属製で硬く柔軟性がないからトレーニングウェア、ジャケットなどに使用したとき違和感があり、特に肌に触るような衣服の開口部に用いるのは不向きである。しかもスライダーを摺動させるには、左右の引手を必ず起立状態に維持しなければならないから、スライドファスナーの開閉操作が面倒であるなど問題点がある。
【０００６】
この発明は、上述の問題点を考慮して発明されたものであり、この発明のうち請求項１記載の発明は、スライダーの胴体に連結体により取り付けた弾性体の引手をスライダーの摺動方向と直交する方向あるいは前方へわずかな回転量によって回動させて引っ張ることにより、スライドファスナーを開閉させる。その際、弾性体の捻転度合は少なくて開閉操作ができ、引手の捻転による損傷を防ぎ、長期の使用に耐え、かつ引手は常時ぶらぶら揺動することなく安定した状態で胴体上へ圧接して保持し、使用者に不快感を与えないスライドファスナー用スライダーの引手を提供することが主たる目的である。
【０００７】
請求項２乃至５記載の発明は、それぞれ請求項１記載の発明の目的に加え、スライダーの胴体に取り付ける弾性体から形成された引手の形態を特定すること、たとえば、半環状、環状、短冊形、板状などの形態に特定することによって、各種タイプのスライダーに適応した弾性体の引手を提供することが目的である。
【０００８】
請求項６乃至８記載の発明は、それぞれ請求項１記載の発明の目的に加え、スライダーの胴体に弾性体から形成された各種形態の引手をスライダーの摺動操作の際、摘み易く扱い易い各種の弾性体の引手を提供することが目的である。
【０００９】
請求項９、１０および１１記載の発明は、請求項１記載の発明の目的に加え、弾性体の引手をスライダーの胴体に取り付けるときに用いる連結体の形態を特定して、連結体を胴体に対し体裁よく、しかも安定した状態に保持でき、かつ操作のし易い形態に形成し、また弾性体の引手を強固に固定できる引手の連結体を提供することが目的である。
【００１０】
請求項１２、１３および１４記載の発明は、それぞれ請求項１記載の発明の目的に加え、弾性体から形成された引手を各種タイプの自動停止機構を備えたスライダーに適応できるよう連結体の形態を特定し、弾性体の引手を備えた自動停止装置付スライダーを簡易に作製できる自動停止装置付スライダーを提供することが目的である。
【００１１】
請求項１５記載の発明は、請求項１記載の発明の目的に加え、弾性体から形成された各種タイプの引手の素材材質を特定することによって、簡単かつ容易に各種タイプの引手を作製できる弾性体の引手を提供することが目的である。
【００１２】
【課題を解決するための手段】
前記の目的を達成するため、この発明のうち請求項１記載の発明は、スライダーの胴体１の上面に引手２を取り付けるための取付部４を設け、この取付部４に対し適宜形状の環状の連結体３を配置し、配置された連結体３は中央部分に横バー２２を設け、この横バー２２を取付部４に挿通して取り付け、取り付けられた連結体３の前端および後端、または前端のみに弾性体から形成された引手２を固定し固定部２５を形成し、弾性体から形成された引手２を常時胴体１の面上、すなわち上面または側面上へ倒伏するように付勢したスライドファスナー用スライダーの引手を主な構成とするものである。特に連結体を自動停止機構を備えたスライダーに用いると、連結体の前後左右にわずかな傾倒によって停止機構を作動させることができる。なおここで引手２を常時胴体１の面上へ倒伏する形とは、引手２が胴体１の上面あるいは側面上において略平行になるように配される状態をいう。
【００１３】
請求項２記載の発明は、請求項１記載の発明の構成に加え、弾性体から形成された引手２は、全体が略半環状に形成し、引手２の半環状の端部を胴体１上の取付部４に取り付けた連結体３の前端および後端に配設した横バー２２に、それぞれ水平状に固定して固定部２５を形成したスライドファスナー用スライダーの引手である。なおここで略半環状の引手２とは、半円のリング形のみでなくＣ字形、耳形などの形状も含むものである。
【００１４】
請求項３記載の発明は、請求項１記載の発明の構成に加え、弾性体から形成された引手２は、全体が略環状に形成し、環状の引手２の対向部分に連結体３に取り付けるための取付舌片２８を内向状に引手２の内縁に突設し、この取付舌片２８を胴体１上の取付部４に取り付けた連結体３の前端および後端に設けた横バー２２に水平状に固定して固定部２５を形成したスライドファスナー用スライダーの引手である。なおここで略環状の引手２とは、リング形のみでなくハート形などの形状も含むものである。
【００１５】
請求項４記載の発明は、請求項１記載の発明の構成に加え、弾性体から形成された引手２は、全体が短冊形に形成し、短冊形の引手２の中央部分を切欠して透孔、すなわち抜け穴状に形成して胴体１上に設けた取付部４が現出するように形成し、短冊形の引手２の一端を胴体１上の取付部４に取り付けた連結体３の前端に設けた横バー２２に固定して固定部２５を形成し、引手２の他端はフリーに形成したスライドファスナー用スライダーの引手である。
【００１６】
請求項５記載の発明は、請求項１記載の発明の構成に加え、弾性体から形成された引手２は、全体が板状を呈し、板状の引手２の端部は胴体１上の取付部４に取り付けた連結体３の前端に設けた横バー２２に固定して固定部２５を形成し、この固定部２５の上端から胴体１上の取付部４の上面を被覆する形に引手２を延設したスライドファスナー用スライダーの引手である。
【００１７】
請求項６記載の発明は、請求項１記載の発明の構成に加え、弾性体から形成された引手２は、胴体１上の取付部４に取り付けた連結体３に固定し、固定部２５の近傍に、くびれたまたは凹状のくびれ部２６を形成して引手２に柔軟性を付与したスライドファスナー用スライダーの引手である。
【００１８】
請求項７記載の発明は、請求項１記載の発明の構成に加え、弾性体から形成された引手２は、胴体１上の取付部４に取り付けた連結体３に固定し、固定部２５の斜め前方へ空隙が拡大する掴持部２７を形成して摘み易いように形成したスライドファスナー用スライダーの引手である。
【００１９】
請求項８記載の発明は、請求項１記載の発明の構成に加え、弾性体から形成された引手２は、胴体１上の取付部４に取り付けた連結体３に固定し、固定部２５から離れた引手２部分に拡径状または肉厚状の掴持部２７を形成して摘み易いように形成したスライドファスナー用スライダーの引手である。
【００２０】
請求項９記載の発明は、請求項１記載の発明の構成に加え、弾性体から形成された引手２を固定する連結体３は、取付部４よりも長く長方形あるいは長円形の環状の枠体２０に形成し、この連結体３を胴体１の上面に形成した取付部４に対し、縦方向すなわち摺動方向に配置されるように取り付けたスライドファスナー用スライダーの引手である。
【００２１】
請求項１０記載の発明は、請求項１記載の発明の構成に加え、弾性体から形成された引手２を固定する連結体３は、胴体１の上面の縦方向すなわち摺動方向に配置される枠体２０の中央部分が低く、枠体２０の前後端側が段差をもって高く水平状に延設し、端部に横バー２２を形成したスライドファスナー用スライダー引手である。
【００２２】
請求項１１記載の発明は、請求項１記載の発明の構成に加え、弾性体から形成された引手２を固定する固定部２５における連結体３に、内向または外向の扁平な取付片２３を横バー２２に突設し、この取付片２３を弾性体から形成された引手２に埋装したスライドファスナー用スライダーの引手である。
【００２３】
請求項１２記載の発明は、請求項１記載の発明の構成に加え、弾性体から形成された引手２を固定した連結体３は、中央部分に横設した横バー２２を胴体１の上面に取り付けた引手取付用のカバー内に内装した自動停止爪杆１０に挿通し、自動停止爪杆１０を引手２の持ち上げ、あるいは引っ張り操作によって、浮上できるように形成したスライドファスナー用スライダーの引手である。
【００２４】
請求項１３記載の発明は、請求項１記載の発明の構成に加え、弾性体から形成された引手２を固定した連結体３は、中央部分に２本の横バー２２を間隔をおいて横設し、そのうちの１本は胴体１の上面に取り付けた引手取付用のカバー体５内に内装した自動停止爪杆１０に挿通し、他の１本は引手取付用のカバー体５内を摺動できる摺動体１４に挿通し、自動停止爪杆１０を引手２の持ち上げ、あるいは引っ張り操作によって、浮上できるように形成したスライドファスナー用スライダーの引手である。
【００２５】
請求項１４記載の発明は、請求項１記載の発明の構成に加え、弾性体から形成された引手２を固定した連結体３は、中央部分に１本の横バー２２を横設し、この横バー２２を胴体１の上面に取り付けたカバー体５の両側壁の下端に横方向に設けたガイド用の摺動溝３２に遊嵌し、頂部に板スプリング３４を突設し、下端の一方側に停止爪１１を突設し、他方側に胴体１に設けた凹欠部３３に遊嵌できる突出部３５を突設し、停止爪１１と突出部３５との間にカム面３６を設けた自動停止爪杆１０をカバー体５に内装し、横バー２２をカム面３６に摺接し、自動停止爪杆１０を引手２の持ち上げ、あるいは引っ張り操作によって、浮上できるように形成したスライドファスナー用スライダーの引手である。
【００２６】
請求項１５記載の発明は、請求項１記載の発明の構成に加え、弾性体から形成された引手２は、引手２の素材材質に、天然ゴム、合成ゴム、熱可塑性エラストマーを用いて一体成形して形成した柔軟性を備えたスライドファスナー用スライダーの引手である。
【００２７】
【発明の実施の形態】
以下、この発明のスライドファスナー用スライダーの引手の実施の形態について、図面を参照しながら具体的に説明する。
【００２８】
この発明のスライドファスナー用スライダーの引手は、各実施形態に共通する構成は、ともにスライダーの胴体１の上面の中央長手方向に設けた引手取付部４に弾性体から形成された引手２を取り付けるのに、適宜形状の環状の連結体３を取付部４に沿った縦方向または直交する横方向にわずかに回動または揺動できるように取り付け、この連結体３の前端および後端、または前端に弾性体から形成された適宜形状の引手２を固定し、引手２がむやみに揺動できないように、常時胴体１の面上へすなわち上面および側面上へ倒伏するように付勢したスライダーの引手に特徴がある。
【００２９】
図１〜４に示す第１実施形態のスライドファスナー用スライダーの引手は、自動停止装置付スライダーに設置したものであり、スライダーの胴体１の上面の中央長手方向に引手取付部４としてのカバー体５を設置し、カバー体５は胴体１の設けた取付柱６に支軸１８によって軸支し、この支軸１８に対し後端に停止爪１１を下方へ突出した停止爪杆１０をカバー体５内で軸支する。停止爪杆１０は停止爪１１の上方に凹部１２を横設し、停止爪杆１０の前端に胴体１内に配設したコイルスプリング１９を弾接し停止爪１１が常時爪孔８からファスナーエレメントをガイドするガイド溝９に突出するように形成する。
【００３０】
連結体３は引手取付部４としてのカバー体５よりも幅広く、しかも縦方向においては胴体１よりも長く長方形を呈する環状の枠体２０から形成され、枠体２０は胴体１上に載置でき、枠体２０の両側に縦バー２１、前端および後端に横バー２２を配し、枠体２０の中央に１本の横バー２２を架設して連結体３を形成する。この中央に配した横バー２２をカバー体５内に設置した停止爪杆１０に形成した凹部１２に挿通する形でカバー体５に取り付け、カバー体５に取り付けられた引手２を操作することによって、前傾、後傾、また左右に傾倒し、傾倒はごくわずかで中央の横バー２２が、停止爪杆１１がカバー体５内で可動できる範囲内で揺動する。連結体３の枠体２０は中央部分が胴体１の上面に接するため低く、両端側が高く水平状に延びるように屈曲して段差を設け、したがって枠体２０の極端な傾倒はできないよう、枠体２０が胴体１に接触することによって傾倒を抑制する。そして連結体３の枠体２０はアルミニウム合金、亜鉛合金などを用いてダイカスト成形によって成形するのがよい。なお連結体３の形状は長方形のみならず長円形その他適宜の形状でもよく、また連結体３の大きさは必ずしも胴体１よりも長い必要はなく、大型スライダーにあっては胴体よりも短くてもよい。
【００３１】
引手２は弾性体から形成され、弾性体には生ゴム、合成ゴム、熱可塑性エラストマーの材質の弾性体を用いて一体成形する。成形の際、連結体３における枠体２０の前端の横バー２２、後端の横バー２２を同時に弾性体に埋装して、引手２と連結体３とを強固に固定することによって固定部２５を形成し、強固な固定部２５を形成するには、前後端の横バー２２の一部を圧延した外向の舌片状の取付片２３を突設して埋装する。引手２の形状は耳形の半環状を呈し、枠体２０の前後端の横バー２２に固定した両固定部２５の近傍に引手２の径がくびれたまたは凹状のくびれ部２６を設けて引手２の動作に柔軟性を持たせ、また両固定部２５から離れた引手２部分に引手２の径が太くなる拡径状または肉厚状の掴持部２７を設けて摘み易くを形成し、さらに前端の固定部２５の斜め前方へ空隙が拡大する掴持部２７を設けて引手２を摘み易いように形成する。
【００３２】
弾性体の引手２と一体化された連結体３とを胴体１に取り付けるには、胴体１の上面に後口側からアリ溝的な凹溝７を設け、この凹溝７内で前後に滑動できる摺動体１４を嵌入し、摺動体１４は底部の両側に突出する突条部を設けて凹溝７に摺動自在に嵌入する。そして摺動体１４と、カバー体５を取り付けた取付柱６との間にコイルスプリングを介在させて摺動体１４を後口側へ弾発させる。また摺動体１４の上面には二つ山の凹陥部１６が設けられ、枠体２０の中央に設けた横バー２２は停止爪杆１０に設けた凹部１２に挿入し、カバー体５は前方を取付柱６に支軸１８によって軸支し、カバー体５の後方は開口状態に形成して摺動体１４を胴体１の後口側から挿入できるように形成し、摺動体１４の先端に連結体３の中央に設けた横バー２２を当てがいながら横バー２２を停止爪杆１０の凹部１２に挿入するように摺動体１４を押し込み、横バー２２が凹部１２に挿入された状態で凹溝７の入り口に設けた封止突起１３を圧潰して凹溝７の一部を封鎖し、摺動体１４が凹溝７から脱出するのを阻止するとともに、連結体３の枠体２０が胴体１の上面に載置して自動停止装置付スライダーを組み立てる。
【００３３】
スライダーの操作は、ファスナーチェンを閉鎖させるときは、引手２の掴持部２７に指先を差し込んで前方へ引っ張ると、弾性体の引手２は図３に示すようにくびれ部２６によって起こされ、弾性体を固定した固定部２５を回動させようとする力と引手２を持ち上げる力とが作用し、その作用によって連結体の縦バー２１を胴体１の上面へわずかに浮き上がらせ、同時にカバー体５内の停止爪杆１０も浮き上がり、停止爪１１をガイド溝９から脱出することによりスライダーを前方へ摺動させることができる。なお停止爪１１が多少ガイド溝９に突出していても、停止爪杆１０の形態によってファスナーエレメントによりコイルスプリング１９を圧縮して前方へ摺動させることができる。
【００３４】
スライダーを停止し、引手２の掴持部２７から指を離すと弾性体の復元力によって、引手２は胴体１の面上へ倒伏し、同時に連結体３も胴体１上面へ当接し停止爪杆１０はコイルスプリング１９の弾力によって、停止爪１１をガイド溝９へ突出させ、ファスナーエレメント間に挿入してスライダーを自動的に停止させ、引手２は胴体１に倒伏し当接した状態で保持され、引手２がぶらぶら揺動することがないように保持する。
【００３５】
次にファスナーチェンを分離開口させる場合は、引手２の掴持部２７を摘んで引手２をわずかに持ち上げ、後方へ引っ張ると弾性体の引手２は持ち上げる力によって固定部２５を回動させ、その作用によって連結体３は縦バー２１を胴体１の上面へわずかに浮き上がらせ、同時に停止爪杆１０も浮き上がり停止爪１１をガイド溝９から脱出してスライダーを後方へ摺動させることができる。
【００３６】
以上説明したとおり、スライダーは半環状の弾性体から形成された引手２を弾性体の弾力に抗してわずかに持ち上げ操作すればスライダーを摺動させることができ、また引手２から手を離すと、弾性体の弾力によって引手２は胴体１の面上へ自動的に倒伏し、しかも引手２は外力が作用しない限り胴体１上に保持され、ぶらぶら揺動することがなく安定した状態で保持される。
【００３７】
図５に示す第２実施形態のスライダーの引手について説明すると、連結体３は前例と同一形態であり、胴体１より長く長方形を呈する環状の枠体２０から形成され、枠体２０は両側に縦バー２１、前端と後端に横バー２２を配し、枠体２０の中央に１本の横バー２２を架設して連結体３を形成し、この連結体３の前端および後端の横バー２２に水平状に半環状の弾性体から形成した引手２を取り付け、横バー２２には扁平状の取付片２３が突設され、取付片２３は弾性体の引手２内に埋装して固定し固定部２５を形成する。
【００３８】
この連結体３は図面に示すように自動停止装置付スライダーに装備され、胴体１の上面に配したカバ−体５内に立設した取付柱６の上面に板バネ１７を載置し、その下側に停止爪１１を下方へ突設した停止爪杆１０を配し、胴体１と停止爪杆１０との間に連結体３の中央に配した横バー２２を挿通して組み付け、停止爪杆１０の停止爪１１は爪孔８からガイド溝９に突出させ、ファスナーエレメント間に嵌入させてスライダーを自動的に停止させる。
【００３９】
このタイプのスライダーは、引手２の掴持部２７をわずかに持ち上げると、横バー２２は胴体１の上面に配した板バネ１７を圧しわずかに浮き上がらせ、同時にカバー体５内の停止爪杆１０を浮き上がらせスライダーを前後いずれかの方向へ摺動させることができる。
【００４０】
図６に示す第３実施形態のスライダーの引手について説明すると、連結体３は胴体１よりも長く長方形を呈する環状の枠体２０から形成され、枠体２０は両側に縦バー２１、前端と後端に横バー２２を配し、枠体２０の中央に２本の横バー２２を間隔をおいて架設して連結体３を形成し、この連結体３の前端および後端の横バー２２に跨ってコ字形を呈する弾性体から形成された引手２を水平状に取り付け、横バー２２は弾性体の引手２に埋設されて固定部２５を形成し、固定部２５から離れた胴体１に平行する引手２部分に拡径状の掴持部２７が形成され、また固定部２５の近傍にくびれ部２６が形成されている。
【００４１】
この連結体３は図７に示すように自動停止装置付スライダーに装備され、胴体１上を摺動する摺動体１４を備え、摺動体１４の上面には二つ山の凹陥部１６が形成され、摺動体１４は図示はされていないが前方の取付柱６との間にコイルスプリングが配され必要時に摺動できるように形成されている。停止爪杆１０は前方の取付柱６に基部を支軸１８によって軸支し、先端に停止爪１１、その上方に凹部１２が形成され、支軸１８の前端にはコイルスプリング１９が配され、停止爪１１を常時爪孔８からガイド溝９に突出する形態に形成されている。
【００４２】
そして連結体３の中央に配した２本の横バー２２は前端側の横バー２２を停止爪杆１０の凹部１２に挿通し、後端側の横バー２２を摺動体１４の凹陥部１６に挿入する形で胴体１に後付け操作によって取り付け、自動停止機構を備えたスライダーに組み立てられている。組み立てられたスライダーは、引手２の掴持部２７を摘み持ち上げるとくびれ部２６によって連結体３の中央の２本の横バー２２をわずかに持ち上げ、同時に停止爪杆１０も浮上させ停止爪１１をガイド溝９から脱出させてスライダーを自由に摺動させることができる。
【００４３】
図８、９に示す第４実施形態のスライダーの引手について説明すると、連結体３は胴体１よりも長い長方形の環状の枠体２０から形成され、枠体２０は両側に縦バー２１、前端と後端に横バー２２を配し、枠体２０の中央に１本の横バー２２を架設して連結体３を形成する。この連結体３の前端と後端の横バー２２に、前方が拡大し後方が狭小する略環状を呈する弾性体が形成された引手２を取り付ける。枠体２０に取り付ける引手２は対向部分に内方へ向けて突出する取付舌片２８を設け、この取付舌片２８に前後端の横バー２２を埋装して固定部２５を形成し、固定部２５の近傍にくびれ部２６、離れた位置に拡径状の掴持部２７が形成されている。
【００４４】
この連結体３も前例と同様に枠体２０の中央に設けた横バー２２を各種タイプの自動停止機構を備えたスライダーの停止爪杆１０に挿通して自動停止装置付スライダーを組み立てる。スライダーの操作は胴体１の左右に張り出した弾性体の引手２を図９に示すように両方の掴持部２７を上方へ持ち上げて操作してもよく、またいずれか一方の掴持部２７を摘み持ち上げて操作して、連結体３がわずかに浮上することによって、停止爪１１がガイド溝９から脱出しスライダーを自由に摺動させることができる。
【００４５】
図１０、１１に示す第５実施形態のスライダーの引手について説明すると、連結体３は前例と同様、胴体１よりも長い長方形の環状の枠体２０から形成され、枠体２０は両側に縦バー２１、前端と後端に横バー２２を配し、枠体２０の中央に１本の横バー２２を架設して連結体３を形成する。この連結体３の前端の横バー２２に短冊形の弾性体から形成された引手２を取り付けるが、引手２は中央部分が切欠して引手取付部４および連結体３の枠体２０の一部が現出するように透孔２９が設けられ、この形態の引手２を胴体１の面上に配置するため、横バー２２に水平状に固定されている。前端の横バー２２には扁平状の取付片２３が外方へ向けて突設し、弾性体の引手２を強固に固定する形に形成され、引手２に形成された固定部２５の近傍にはくびれ部２６が形成され、引手２の先端には肉厚状の掴持部２７が形成されている。
【００４６】
この連結体も前例と同様に枠体２０の中央に設けた横バー２０を各種タイプの自動停止機構を備えたスライダーの停止爪杆１０に挿通して自動停止装置付スライダーを組み立てる。スライダーの操作は胴体１に取り付けられた引手２掴持部２７を図１１に示すように持ち上げると、ガイド溝９に突出している停止爪１１もガイド溝９が脱出しスライダーを摺動させることができる。引手２は固定部２５の近傍にくびれ部２６が形成され柔軟に折れ曲がり横バー２２をわずかに浮上させる作用がある。引手２は常時胴体１の面上に倒伏させ、ぶらぶら揺動することのない体裁のよいスライダーに仕上げることができる。
【００４７】
図１２に示す第６実施形態のスライダーの引手について説明すると、連結体３は第５実施形態と同一形状であり、枠体２０の前端の横バー２２に弾性体から形成された引手２を取り付けるが、この引手２の形態は、横バー２２に設けた扁平状の取付片２３に弾性対の引手２を分厚く固定して固定部２５を形成し、分厚い固定部２５の上端から胴体１上の引手取付部４としてのカバー体５を被覆する状態で短冊形の板状の引手２を延設することにより、外方からの衝撃を引手２によって吸収することができる。引手２は固定部２５との境界にくびれ部２６が形成され、先端には肉厚状の掴持部２７が形成されている。
【００４８】
連結体３は枠体２０の中央に設けた横バー２２を自動停止機構の停止爪杆１０の凹部１２に挿通して自動停止装置付スライダーに組み立てる。なお枠体２０の後端の横バー２２を胴体１に近接する状態に枠体２０を小型化し体裁のよいスライダーに仕上げることもできる。引手２の操作も前例と同様である。
【００４９】
図１３〜１５に示す第７実施形態のスライダーの引手について説明すると、連結体３は胴体１よりも長い長方形の環状の枠体２０から形成され、枠体２０は平角状に形成した縦バー２１を両側に、前後端に横バー２２を架設し、この横バー２２の中央部分に上方へ突出する膨大頭部３０を設け、前後端の横バー２２の外側に取付片２３を突設し、枠体２０は中央部分が低く両端側が高く水平状に延びるように屈曲して段差を設け、胴体１の上面へ安定した状態で載置できるように形成する。
【００５０】
連結体３の前後端の横バー２２に弾性体から形成された引手２を耳形状に配し、引手２は横バー２２の取付片２３を埋装して固定部２５を形成し、この両固定部２５の近傍にくびれ部２６を、また固定部２５から離れた引手２部分に拡経状または肉厚状の掴持部２７を設け、さらに前端の固定部２５の斜め前方へ空隙が拡大する掴持部２７を設けて引手２を摘み易いように形成する。
【００５１】
一方胴体１の上面に設置する引手取付部４としてのカバー体５は、両側壁３１の下端縁部に横バー２２が前後に摺動できる間隙をもった摺動溝３２を設け、胴体１は上面の前後にカバー体５を取り付けるための取付柱６を立設し、前方の取付柱６の基部に自動停止爪杆１０の突出部３５が遊嵌できる凹陥状の凹欠部３３を設け、後方の取付柱６の基部に停止爪１１が嵌挿できる爪孔８を設け、自動停止爪杆１０はスチール板を倒コ字状に屈折して頂部にスプリング片３４を切り起こして斜設し、下端の一方に爪孔８に嵌挿できる停止爪１１を突設し、他方に凹欠部３３に遊嵌できる突出部３５を突設し、停止爪１１と突出部３５との間に山形状に切欠したカム面３６を設けて横バー２２の膨大頭部３０が摺接できるように形成する。
【００５２】
スライダーの組み立ては、胴体１の取付柱６間に連結体３の横バー２２を載置し、その上方から自動停止爪杆１０を載置した後、カバー体５を取付柱６間に被せると同時に、横バー２２を摺動溝３２に配し、カバー体５を取付柱６にかしめ固定してスライダーを組み立てる。そして組み立てられたスライダーは、引手２の掴持部２７を摘み持ち上げて引っ張ると引手２はくびれ部２６で弾性変形し、その後摺動溝３２に沿って連結体３も摺動し横バー２２の膨大頭部３０が自動停止爪杆１０のカム面３６に作用し、自動停止爪杆１０を浮上させ停止爪１１も浮上するので、スライダーは自由に摺動させることができる。
【００５３】
以上説明したとおり、この発明のスライダーの引手は、連結体３の枠体２０に設けた横バー２２を自動停止機構の停止爪杆１０に装着する実施例について説明したが、弾性体から形成された引手２を取り付けた連結体３を自由スライダーに装備させることもできる。この場合、胴体１の上面に枠体２０に設けた横バー２２を挿通できる突起状の取付部４を設ければよい。枠体２０は胴体１の上面に配されるので、弾性体から形成された引手２は、常時胴体１上へ倒伏され体裁のよい自由スライダーに仕上げることができる。
【００５４】
【発明の効果】
この発明のスライドファスナー用スライダーの引手は、以上説明したとおりの構成であり、この構成によって下記の効果を奏する。
【００５５】
この発明のうち請求項１記載の発明は、胴体の上面に引手取付部を設け、取付部に対し適宜形状の環状の連結体を縦方向に配し、連結体は中央に横バーを設け、横バーを取付部に挿通して取り付け、連結体の前後端または前端に弾性体から形成した引手を固定し固定部を形成し、引手を常時胴体の面上へ倒伏する形に付勢したことによって、胴体に取り付けた弾性体の引手を摘みスライダーの摺動方向と直交する方向あるいは前方へわずかな回転量で引っ張ると、容易にスライダーを摺動させることができる。また操作の際弾性体の捻転度合は少なくて捻転による損傷を防ぎ長期の使用に耐えられる。さらに引手は常時ぶらぶら揺動することがなく、体裁よく安定した状態で胴体上に保持できるから、衣服用として好適である効果がある。
【００５６】
請求項２乃至５記載の発明は、それぞれ請求項１記載の発明の効果に加え、弾性体から形成された引手の形態を、半環状、環状、短冊形、板状に形成して、それぞれ連結体に固定したことによって、それぞれの形態の引手に基づき各種タイプのスライダー、またスライドファスナーの使用製品に最適な引手を容易に供給できるなどの効果がある。
【００５７】
請求項６乃至８記載の発明は、それぞれ請求項１記載の発明の効果に加え、弾性体から形成された引手を固定した固定部の近傍にくびれたまたは凹状のくびれ部、また固定部の斜め前方へ空隙が拡大する掴持部、さらに固定部から離れた部分に拡径状または肉厚状の掴持部をそれぞれ設けたことによって、スライダーの摺動操作の際、弾性体の引手を容易に弾性変形させることができ、また引手を容易に摘むことができるから、操作が簡便に行える効果がある。
【００５８】
請求項９乃至１１記載の発明は、請求項１記載の発明の効果に加え、弾性体から形成された引手を固定する連結体は、取付部よりも長く長方形あるいは長円形の環状に形成し、また連結体は胴体の縦方向に配される中央部分が低く、前後端側が段差をもって高く水平状に延設して横バーを形成し、さらに横バーに内向または外向の扁平な取付片を設けたことによって、弾性体の引手を固定した連結体を胴体に体裁よく操作のし易い状態に配置することができ、連結体は胴体の上面に安定した状態で保持することができ体裁もよい。また横バーの埋装が容易にでき連結体と引手を強固に固定でき長期の使用に耐えられるなどの効果がある。
【００５９】
請求項１２乃至１４記載の発明は、請求項１記載の発明の効果に加え、連結体の中央に設けた横バーをカバー体内の自動停止爪杆に挿通し、または連結体の中央に設けた２本の横バーの１本をカバー体内の自動停止爪杆に挿通し、他の１本をカバー体内を摺動する摺動体に挿通し、あるいは連結体の中央に設けた横バーをカバー体の下端の摺動溝に遊嵌するとともに、頂部にスプリング片、下端に停止爪と突出部を設け、停止爪との間に形成したカム面に摺接したことによって、弾性体から形成された引手を固定した連結体を各種タイプの自動停止機構を備えたスライダーに容易に適応させることができ、体裁のよい安全な引手を備えた自動停止装置付スライダーを簡易に作製できるなどの効果がある。
【００６０】
請求項１５記載の発明は、請求項１記載の発明の効果に加え、弾性体から形成された引手は、天然ゴム、合成ゴム、熱可塑性エラストマーから形成したことによって、各種タイプの弾性体の引手を容易に弾性変形ができる素材から簡単に成形でき、効率のよい弾発性が発揮できる効果があるなど、この発明が奏する効果はきわめて顕著である。
【図面の簡単な説明】
【図１】第１実施形態のスライドファスナー用スライダーの引手を備えたスライダーの斜視図である。
【図２】同上スライダーの平面図である。
【図３】同上スライダーの背面図である。
【図４】同上スライダーの図２におけるＡ−Ａ線断面図である。
【図５】第２実施形態のスライドファスナー用スライダーの引手を備えたスライダーの縦断面図である。
【図６】第３実施形態のスライドファスナー用スライダーの引手を備えたファスナーチェンの平面図である。
【図７】同上スライダーの縦断面図である。
【図８】第４実施形態のスライドファスナー用スライダーの引手を備えたスライダーの平面図である。
【図９】同上スライダーの背面図である。
【図１０】第５実施形態のスライドファスナー用スライダーの引手を備えたスライダーの平面図である。
【図１１】同上スライダーの側面図である。
【図１２】第６実施形態のスライドファスナー用スライダーの引手を備えたスライダーの縦断面図である。
【図１３】第７実施形態のスライドファスナー用スライダーの引手を備えたスライダーの斜視図である。
【図１４】同上スライダーにおける連結体に引手を固定した状態を示す斜視図である。
【図１５】同上スライダーの縦断面図である。
【図１６】公知のスライダーの斜視図である。
【図１７】他の公知のスライダーの斜視図である。
【符号の説明】
１        胴体
２        引手
３        連結体
４        取付部
５        カバー体
１０        停止爪杆（自動）
１１        停止爪
１４        摺動体
２２        横バー
２３        取付片
２５        固定部
２６        くびれ部
２７        掴持部
２８        取付舌片
２９        透孔
３２        摺動溝
３３        凹欠部
３４        スプリング片
３５        突出部
３６        カム面
【図１】
0003599617.tif 000002
【図２】
0003599617.tif 000003
【図３】
0003599617.tif 000004
【図４】
0003599617.tif 000005
【図５】
0003599617.tif 000006
【図６】
0003599617.tif 000007
【図７】
0003599617.tif 000008
【図８】
0003599617.tif 000009
【図９】
0003599617.tif 000010
【図１０】
0003599617.tif 000011
【図１１】
0003599617.tif 000012
【図１２】
0003599617.tif 000013
【図１３】
0003599617.tif 000014
【図１４】
0003599617.tif 000015
【図１５】
0003599617.tif 000016
【図１６】
0003599617.tif 000017
【図１７】
0003599617.tif 000018